【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層は、ポリマー、プラスチック、またはゴム材料と、前記ポリマー、プラスチック、またはゴム材料全体に実質的に均一に分散された導電性充填材料とを含み、前記皮膚接触層は、約１ｍｍから約１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有する、乾式電極。
【請求項２】
前記乾式電極は装着可能なバンド上に配置されるよう構成される、請求項１に記載の乾式電極。
【請求項３】
前記皮膚接触層はシリコーンを含む、請求項１または２に記載の乾式電極。
【請求項４】
前記導電性充填材料はさらに銀被覆ガラスバブルを含む、請求項１から３のいずれか一項に記載の乾式電極。
【請求項５】
銀被覆ガラスバブルの前記充填量は、前記皮膚接触層の約３％から約３０％である、請求項４に記載の乾式電極。
【請求項６】
前記乾式電極は、約５０オームセンチメートルから約１，０００オームセンチメートルのバルク抵抗率を有する、請求項１から５のいずれか一項に記載の乾式電極。
【請求項７】
前記皮膚接触層は、約３０Ａから約５０ＡのショアＡ硬さを有する、請求項１から６のいずれか一項に記載の乾式電極。
【請求項８】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層は、ポリマー、プラスチック、またはゴム材料と、前記ポリマー、プラスチック、またはゴム材料全体に分散された導電性充填材料とを含み、前記皮膚接触層は、１ｍｍから１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有し、
単層カーボンナノチューブの充填量は、約１％から約５％である、乾式電極。
【請求項９】
前記乾式電極は、約５０オームセンチメートルから約１，０００オームセンチメートルのバルク抵抗率を有する、請求項８に記載の乾式電極。
【請求項１０】
前記皮膚接触層は、約３０Ａから約５０ＡのショアＡ硬さを有する、請求項８または９に記載の乾式電極。
【請求項１１】
前記導電性充填材料の均一性は、前記皮膚接触層を横切る抵抗率の差が約５％未満であるようなものである、請求項８から１０のいずれか一項に記載の乾式電極。
【請求項１２】
前記皮膚接触層はシリコーンを含む、請求項８から１１のいずれか一項に記載の乾式電極。
【請求項１３】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層はさらに、ポリマー、プラスチック、またはゴム材料全体に実質的に均一に分散された導電性充填材料を含み、前記皮膚接触層は、約０．５ｍｍから約１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有し、
単層カーボンナノチューブの充填量は、約１％から約５％である、乾式電極。
【請求項１４】
前記皮膚接触層は、約１０Ａから約１００Ａのショア硬さを有し、
前記皮膚接触層は、約１オームセンチメートルから約２０００オームセンチメートルの体積抵抗率を有し、
前記皮膚接触層の前記皮膚に面する表面を横切る複数の点で測定された抵抗またはコンダクタンスは、前記平均測定された抵抗またはコンダクタンスの約５０％以内の標準偏差を有し、
前記皮膚接触層はシリコーンを含む、請求項１３に記載の乾式電極。
【請求項１５】
前記導電性裏打ち層は金属箔を含む、請求項１３または１４に記載の乾式電極。
【請求項１６】
前記金属箔は可撓性ポリマー基板上に配置される、請求項１５に記載の乾式電極。
【請求項１７】
前記導電性充填材料は、粉末または微粒子材料を含む、請求項１３から１６のいずれか一項に記載の乾式電極。
【請求項１８】
前記導電性裏打ち層は、導電性コーティングで処理された多孔質材料を含む、請求項１３から１７のいずれか一項に記載の乾式電極。
【請求項１９】
前記皮膚接触層は、約２５Ａから約５５Ａのショア硬さを有する、請求項１３から１８のいずれか一項に記載の乾式電極。
【請求項２０】
前記皮膚接触層の前記皮膚に面する表面を横切る複数の点で測定された抵抗またはコンダクタンスは、前記平均測定された抵抗またはコンダクタンスの約２５％以内の標準偏差を有する、請求項１３から１９のいずれか一項に記載の乾式電極。
【請求項２１】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層は、ポリマー、プラスチック、またはゴム材料と、前記ポリマー、プラスチック、またはゴム材料全体に実質的に均一に分散された導電性充填材料とを含み、前記皮膚接触層は、１ｍｍから１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有する、乾式電極。
【請求項２２】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層は、ポリマー、プラスチック、またはゴム材料と、前記ポリマー、プラスチック、またはゴム材料全体に分散された導電性充填材料とを含み、前記皮膚接触層は、０．５ｍｍから１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有する、乾式電極。
【請求項２３】
経皮的電気刺激用の乾式電極であって、
導電性裏打ち層と、
前記導電性裏打ち層上に配置された皮膚接触層であって、前記皮膚接触層は、前記導電性裏打ち層から前記皮膚に経皮的電気刺激用の電流を送達するよう構成され、前記皮膚接触層はさらに、ポリマー、プラスチック、またはゴム材料全体に実質的に均一に分散された導電性充填材料を含み、前記皮膚接触層は、０．５ｍｍから１０ｍｍの厚さを有し、前記導電性充填材料は単層カーボンナノチューブを含む皮膚接触層とを含み、
前記皮膚接触層は、ヒドロゲルまたは液体でコーティングされていない、皮膚に面する表面を有する、乾式電極。
【請求項２４】
前記乾式電極は、約５０オームセンチメートルから約１，０００オームセンチメートルのバルク抵抗率を有する、請求項２１から２３のいずれか一項に記載の乾式電極。
【請求項２５】
前記皮膚接触層はシリコーンを含み、前記乾式電極は装着可能なバンド上に配置されるよう構成される、請求項２１から２４のいずれか一項に記載の乾式電極。
【請求項２６】
前記皮膚接触層は、約３０Ａから約５０ＡのショアＡ硬さを有する、請求項２１から２５のいずれか一項に記載の乾式電極。
【請求項２７】
前記導電性充填材料の均一性は、前記皮膚接触層を横切る抵抗率の差が約５％未満であるようなものである、請求項２１から２６のいずれか一項に記載の乾式電極。
【請求項２８】
単層カーボンナノチューブの前記充填量は、約１％から約５％である、請求項２１から２７のいずれか一項に記載の乾式電極。
【請求項２９】
前記導電性裏打ち層は金属箔を含む、請求項２１から２８のいずれか一項に記載の乾式電極。
【請求項３０】
前記金属箔は可撓性ポリマー基板上に配置される、請求項２１から２９のいずれか一項に記載の乾式電極。
【請求項３１】
前記導電性充填材料は、粉末または微粒子材料を含む、請求項２１から３０のいずれか一項に記載の乾式電極。
【請求項３２】
前記導電性裏打ち層は、導電性コーティングで処理された多孔質材料を含む、請求項２１から３１のいずれか一項に記載の乾式電極。